(57)【特許請求の範囲】
【請求項１】
パネル部材を直接又は縦型のスライドレールを介して、切りばりによって支保されるパネル土留において、パネル部材を支保する切りばりが、圧縮方向には縮小を止め、伸張方向にのみ伸張が自由であり、最伸張時にストッパーが作用する機能を有し、加えて、液圧又は気圧により伸縮するシリンダーを、適宜、該切りばりに併設し、加圧装置によって、該シリンダー内に液圧又は気圧を注入し、パネル部材を介して、土壁を加圧することにより、土壁にプレロードを与えることを特徴とするパネル土留。
【発明の詳細な説明】
【０００１】
【発明の属する技術分野】
本発明はパネル土留による土留支保工に関する。
【０００２】
従来地山の崩壊を防ぐため、一対のパネル部材に２本以上の切ばりを取り付けた構成のパネル土留を、０．５ｍ程予掘した溝に吊り込み箱状となった内側を掘削しながらパネルを押し込み、この作業を繰り返して、パネル部材を所定の位置まで沈設させ、土留を行う工法がある。
【発明が解決しようとする課題】
【０００３】
この工法は、通常、パネル部材の両側面の縦梁材に直接切りばりを取り付けたボックス方式と、縦型のスライドレールを複数の切りばりによって、梯子状になったものを一定の距離を隔てて、２組たて込み、このスライドレール間にパネル部材をはめ込んで箱状となしたスライドレール方式がある。
【０００４】
ボックス方式であれ、スライドレール方式であれ、いずれにしても、掘削とパネル部材の押し込みを所定の深さまで繰り返しながら作業を行うため、掘削側面の土壁が崩れ、土壁とパネル部材間に隙間が生じる。
【０００５】
これを防止するために、掘削完了後、パネル部材と土壁との間に土砂を入れ（これを裏込めと称す）隙間をつめるのであるが、締め固められないので、長時間放置したり、雨が降ったり、掘削溝の周辺を大型自動車が通行すれば、道路面にクラックが入ったり道路の縁石と側溝との間が開いたり、塀が傾斜したり、何らかの悪影響が発生することがあった。
【０００６】
さりとて、従来、一対のパネル部材間を支保している切りばりは、長さを調整できない固定式か、ねじ方式により調整可能なもの、いずれかを使用していたが、ねじ式の場合でも、単に地上で所定の掘削巾にパネル部材間を合わせるための調整機能を有するのみで、土壁を押し返すだけの軸力がなく、前記のような不具合の発生を防止することは不可能であった。
【０００７】
さらに、土の密度が大きく、強い土圧がかかる現場においては、パネル部材を介して、切りばりに大きな負荷がかかり、切りばりのねじを回すのが困難となりかねない。
【０００８】
又、前記のような現場では、パネル土留の撤去時には、パネル部材面に強力な土圧がかかり、引き抜きが大変困難で、この引き抜き時に、切りばりが曲がってしまうこともあった。
【０００９】
本発明は上記の事情に鑑みてなされたものであり、パネル部材を直接又はスライドレールを介して、切りばりによって支保されるパネル土留において、パネル部材をシリンダーが加圧することにより、土壁にプレロードを与え、現場の２次的な悪影響を防止すると共に、作業効率を改善し、しかも、安全性の高い土留支保工を提供することを、目的とする。
【００１０】
【課題を解決するための手段】
本発明のプレロード式パネル土留は、作業時に、現場周辺に前記のような悪影響が出ないよう、又、撤去が容易になるように、次のような対策を講じている。
【００１１】
即ち、パネル部材を直接又はスライドレールを介して、切りばりによって支保されるパネル土留において、パネル部材を支保する切りばりが、圧縮方向には縮小を止め、伸張方向にのみ伸張が自由であり、最伸張時にストッパーが作用する機能を有し、加えて、液圧又は気圧により伸縮するシリンダーを、適宜、該切りばりと併設し、加圧装置によって、該シリンダー内に液圧又は気圧を注入し、パネル部材を介して、土壁を加圧することにより、土壁にプレロードを与えることを特徴とする。
【作用】
【００１２】
本発明のプレロード式パネル土留は、パネル部材及びスライドレールを支保する切りばりに、その接合部の一部又は全部に長孔を設け、ピンにより接合することによって、圧縮方向にはピン又は切りばりの端面が縮小を止め、伸張方向には、長孔の範囲内で伸張が自由となり、抜け落ち防止は長孔の端部とピンにより、伸張をストップする。
【００１３】
該パネル土留を、掘削溝に搬入し、液圧又は気圧により伸縮するシリンダーを、適宜、該切りばりと併設し、加圧装置によって、該シリンダー内に液圧又は気圧を注入し、パネル部材を加圧すれば、パネル部材は、長孔の範囲内で、伸張し、土壁にプレロードをかけることができる。
【発明の実施の形態】
【００１４】
本発明のプレロード式パネル土留を図面１に基いて説明すれば以下の通りであるが、もちろん本発明は本実施例の具体的な構成に限定されるものではない。
【００１５】
図面１の設置正面図に示すように、本発明の一実施例に係るプレロード式パネル土留は、一対のパネル部材１と、パネル部材１と、切りばり３との連結用ブラケット２、パネル部材１間を支保する上下各２本の切りばり３、及び水圧ジャッキ４で構成される。
【００１６】
そして、切りばり３に、その接合部２箇所の全部に長孔５を設け、ブラケット２に、ブラケットピン孔６を設け、ブラケット２を介して、パネル部材１と切りばり３の両端部とを接合する。
【００１７】
パネル部材１とブラケット２とは、切りばり取付ピン９で固定し、ブラケット２と切りばり３とは、ピン７を上部より挿入し、ロックリング８でピン７の抜け防止を行い、パネル土留の組み立ては完成する。
【００１８】
前記の通り組み立てられたパネル土留９を掘削現場に搬入し、クレーンやバックホー等で、約０．５ｍ予掘りを行った掘削溝に落とし込む。
【００１９】
該パネル土留９の切りばり３は、圧縮方向には、切りばり３の端面が縮小を止め、伸張方向には、長孔５のそれぞれ範囲内で伸張が自由となり、抜け落ち防止は長孔５の端部とピン７により、伸張をストップする。
【００２０】
本掘削作業において、掘削とパネル部材１の押し込みを所定の深さまで繰り返しながら作業を行うため、掘削側面の土壁が崩れ、パネル部材１と土壁間に隙間が生じる。
【００２１】
従って、掘削完了後、パネル部材１と土壁との間に土砂を入れ、裏込めを施すことになるが、これを締め固めるため、適宜、水圧ジャッキ４を既設切りばり３の設置付近に所定の方法で設置し、加圧装置であるハンドポンプによって、ジャッキ４の加圧を行う。
【００２２】
この際、既設の切りばり３も、長孔５のそれぞれ範囲内で伸張するので、この範囲内で、パネル土留１５のパネル部材１間の巾を拡大することができる。
【００２３】
前記作業により、土壁にプレロードがかかり、掘削溝周辺の構築物への悪影響の危惧は解消する。
【００２４】
掘削溝内に配管などの所要の工事を行った後は、水圧ジャッキ４の圧力を抜き、水圧ジャッキ４を縮小させると、切りばり３も同様に縮小し、パネル土留９のパネル部材１間の巾も縮小する。
【００２５】
土圧がかからない、パネル土留１５を掘削溝から引き上げながら、順次掘削溝を埋め戻し、土砂を転圧し、作業は終了する。
【００２６】
また前記述べた実施例とは異なる使用方法として、大口径パイプを敷設する場合がある。
【００２７】
図１の通り、大口径パイプ１２を敷設する場合は、最下段の切りばり３が、邪魔になり、撤去しなければならない。
【００２８】
このような現場には、水圧ジャッキ４を、最下段切りばり３の設置位置より上方の所定の高さに設置した上に、掘削底面には捨てばり１３を設置し、前記と同様、加圧装置であるハンドポンプによって、水圧ジャッキ４を加圧し、切りばり取付ピン９を引き抜いて、最下段切りばり３を取り外す。
【００２９】
前記の方法によれば、最下段位置を上回る大口径パイプ１２も容易に敷設することができる。
【発明の効果】
【００３０】
本発明においては、一対のパネル間を数本の液圧ジャッキ（水圧であれ油圧であれ）又は、気体シリンダー（エアシリンダー）により、強力な軸力を有するもので押圧するので、裏込め材がしっかりと押され、長時間放置したり、雨が降ったり、掘削溝の周辺を大型自動車が通行しても、道路面にクラックが入ったり、道路の縁石と側溝との間が開いたり、塀が傾斜したりという、二次的な悪影響が生じない。
【００３１】
又、当工法では、既設の切りばりの各接合部に長孔が設けられているので、圧縮された状態で掘削巾を確保しておけば、その寸法より短くはならない。
【００３２】
土壁にプレロードをかける時、パネル間を拡張するが、切りばりの長孔寸法の分だけ、拡張し、裏込めを加圧する。
【００３３】
ねじ式による切りばりの拡張作業は、掘削溝の中に立ち入って行わなければならないが本発明によれば、ジャッキの拡張操作はポンプと水圧ジャッキ間をホースで連結するため、ポンプの操作を地上で行え、安全である。
【００３４】
しかも、パネル土留を撤去する時は、水圧ジャッキの圧力を抜くため、パネル部材間が縮小し、パネル土留を容易に地上に引き上げることができる。
【００３５】
従って、本発明により作業効率の向上と省力化並びに作業員の安全が確保されることになる。
【図面の簡単な説明】
【図１】本発明の設置正面図
【図２】ボックス方式パネル土留
【図３】スライドレール方式パネル土留
【符号の説明】
１…パネル部材
２…ブラケット
３…切りばり
（下段切りばりは上段切りばりと同じ構造につき、カット図は省略）
４…水圧ジャッキ
５…長孔
６…ブラケットピン孔
７…ピン
８…ロックリング
９…切りばり取付ピン
１０…ジャッキ取付ブラケット
１１…ジャッキ取付ピン
１２…大口径パイプ
１３…捨てばり
１４…ガイドレール
１５…パネル土留
１６…裏込め
１７…土壁
【図１】
0003673921.tif 000002
【図２】
0003673921.tif 000003
【図３】
0003673921.tif 000004